(57)【特許請求の範囲】
【請求項１】
免震支持装置により免震支持された免震床と、建物躯体の固定床との間の隙間を塞ぐ免震床用カバーであって、
前記免震床用カバーは、
前記免震床が前記隙間に臨む免震床の外縁部上と前記固定床が前記隙間に臨む固定床の内縁部上にそれぞれ沿って配設された細幅で直線状に延在する第１板状部材と、
前記両第１板状部材上にわたって配設された細幅で直線状に延在する第２板状部材と、
前記免震床の外縁部と第１板状部材の間、及び、前記固定床の内縁部と第１板状部材の間に、これらの間の隙間を塞ぐようにそれぞれ設けられ、免震床と第１板状部材の相対的移動と固定床と第１板状部材の相対的移動を許容し、かつ、第１板状部材を元の位置に復帰させる第１遮蔽体と、
前記両第１板状部材と第２板状部材との間に、これらの間の隙間を塞ぐようにそれぞれ設けられ、第１板状部材と第２板状部材の相対的移動を許容し、かつ、第１板状部材と第２板状部材を元の位置に復帰させる第２遮蔽体と、
を備えることを特徴とする免震床用カバー。
【請求項２】
前記固定床と免震床はほぼ同一の高さに設けられている請求項１記載の免震床用カバー。
【請求項３】
前記第１遮蔽体と第２遮蔽体は、上下に扁平に折りたたまれたスプリング鋼板により構成されている請求項１記載の免震床用カバー。
【請求項４】
前記第１板状部材は、免震床と固定床との間の隙間の幅のほぼ１／２程度の幅で形成されている請求項１記載の免震床用カバー。
【請求項５】
前記第２板状部材は、免震床と固定床との間の隙間の幅のほぼ２倍程度の幅で形成されている請求項１記載の免震床用カバー。
【発明の詳細な説明】
【０００１】
【発明の属する技術分野】
本発明は、地震時における建築物の床の揺れを低減させる免震構造に関し、更に詳細には、建物躯体側の固定床と免震床との隙間を塞ぐように配置されるカバー構造に関する。
【０００２】
【従来の技術】
建物の床を免震支持する場合、この免震床は建物躯体側と切り離される。
すなわち、図６に示すように、建物躯体２の床スラブ４上に、免震床６を水平方向に移動可能かつ弾性復帰可能に支持する弾性体８と、水平エネルギを吸収するエネルギ吸収体１０と、垂直エネルギを吸収するエネルギ吸収体１２等からなる免震支持装置１４が配設され、この免震支持装置１４により免震床６が支持され、免震床６の周縁と建物躯体２の固定床１６との間には、固定床１６に対して相対的に免震床６が移動できるように隙間Ｓが確保される。
【０００３】
そして、歩行上の安全確保や、物品の落下防止のため、図７（Ａ）、（Ｂ）、（Ｃ）で示すように、前記隙間Ｓは免震床用カバー１８で覆われる。
図７（Ａ）は静止時における免震床用カバー部分の断面斜視図、（Ｂ）、（Ｃ）はそれぞれ地震時における免震床用カバー部分の断面斜視図を示す。
従来の免震床用カバー１８はプレート状に形成され、免震床６の四周においてそれぞれ免震床６の外縁上に固定して設けられている。
そのため、免震床用カバー１８の免震床６への固定代をｄ０、免震床６の設計上の水平方向動き代を左右それぞれｄ１（振幅２ｄ１の１／２）、免震床６が揺動時に固定床１６と最も離れた場合の免震床用カバー１８の固定床１６への掛り代をｄ２とすると、免震床用カバー１８の最小所要幅（ｄｐ）は、ｄｐ＝ｄ０＋２ｄ１＋ｄ２を要していた。
【０００４】
【発明が解決しようとする課題】
従って、該免震床用カバー１８の水平方向の動きを確保するため、固定床１６側に少なくともｄｍｉｎ＝ｄ２＋２ｄ１の幅の揺動用スペースを設けなければならなかった。
その結果、このスペースには物品などを置くことができず、通常の利用ができない無駄な空間となっていた。
また、免震床６の水平方向の揺れと同時に生じ得る上下方向（鉛直方向）の揺れにより、免震床用カバー１８と固定床１６とが衝突し障害が生ずることがあり、この衝突を防止し、緩和する対応策が求められていた。
本発明は前記事情に鑑み案出されたものであって、本発明の目的は、免震床の揺動用スペースを最小限として利用空間を増やし、また、免震床用カバーと固定床との上下方向における衝突を緩和し防止できる免震床用カバーを提供することにある。
【０００５】
【課題を解決するための手段】
前記目的を達成するため、本発明は、免震支持装置により免震支持された免震床と、建物躯体の固定床との間の隙間を塞ぐ免震床用カバーであって、前記免震床用カバーは、前記免震床が前記隙間に臨む免震床の外縁部上と前記固定床が前記隙間に臨む固定床の内縁部上にそれぞれ沿って配設された細幅で直線状に延在する第１板状部材と、前記両第１板状部材上にわたって配設された細幅で直線状に延在する第２板状部材と、前記免震床の外縁部と第１板状部材の間、及び、前記固定床の内縁部と第１板状部材の間に、これらの間の隙間を塞ぐようにそれぞれ設けられ、免震床と第１板状部材の相対的移動と固定床と第１板状部材の相対的移動を許容し、かつ、第１板状部材を元の位置に復帰させる第１遮蔽体と、前記両第１板状部材と第２板状部材との間に、これらの間の隙間を塞ぐようにそれぞれ設けられ、第１板状部材と第２板状部材の相対的移動を許容し、かつ、第１板状部材と第２板状部材を元の位置に復帰させる第２遮蔽体とを備えることを特徴とする。
また、本発明は、前記固定床と免震床がほぼ同一の高さに設けられていることを特徴とする。
また、本発明は、前記第１遮蔽体と第２遮蔽体が、上下に扁平に折りたたまれたスプリング鋼板により構成されていることを特徴とする。
また、本発明は、前記第１板状部材が、免震床と固定床との間の隙間の幅のほぼ１／２程度の幅で形成されていることを特徴とする。
また、本発明は、前記第２板状部材が、免震床と固定床との間の隙間の幅のほぼ２倍程度の幅で形成されていることを特徴とする。
【０００６】
本発明では、地震による免震床の揺動時に、第１板状部材と第２板状部材が、第１遮蔽体と第２遮蔽体を介して相対的に変位し、また、地震が収まると、元の状態に復帰する。
【０００７】
【発明の実施の形態】
次に、本発明の免震床用カバーの実施例について説明する。
図１は固定床、免震床、本発明の免震床用カバーとの関係を示す平面図、図２（Ａ）、（Ｂ）は静止時における免震床用カバーの説明図、図３（Ａ）、（Ｂ）は固定床に免震床が近づいた状態の免震床用カバーの説明図、図４（Ａ）、（Ｂ）は固定床と免震床が離れた状態の免震床用カバーの説明図、図５は免震床の上下揺動時の説明図である。
図１に示すように、建物躯体２の固定床１６は、実施例では、平面視矩形枠状に形成され、所定の幅で壁２２に沿って延在している。
固定床１６の外縁部の内側には平面視矩形の開口部２４が形成され、この開口部２４に平面視矩形の免震床６が配設され、免震床６は従来公知の免震支持装置により免震支持されている。
固定床１６と免震床６はほぼ同一の高さで設けられ、固定床１６の４辺の内縁と免震床６の４辺の外縁との間にはそれぞれ水平方向に隙間Ｓが確保されている。
前記隙間Ｓは免震床６の設計上の水平方向動き代ｄ１（振幅２ｄ１の１／２）で形成され、この隙間Ｓを塞ぐように免震床用カバー３０が設けられている。
【０００８】
前記免震床用カバー３０は、前記隙間Ｓに対応して四つの辺からなる矩形枠状に形成されている。
免震床用カバー３０の各辺は、図２に示すように、二枚の第１板状部材３２と、一枚の第２板状部材３４と、二つの第１遮蔽体３６と、二つの第２遮蔽体３８で構成されている。
【０００９】
前記二枚の第１板状部材３２は、それぞれ幅Ｗ１で延在形成され、一方の第１板状部材３２は前記第１遮蔽体３６を介して固定床１６の内縁部上に該内縁部に沿って配設されている。
前記二枚の第１板状部材３２のうちの他方は前記第１遮蔽体３６を介して免震床６の外縁部上に該外縁部に沿って配設され、二枚の第１板状部材３２は互いに平行に配設されている。
前記第１板状部材３２の幅Ｗ１は水平方向動き代ｄ１のほぼ１／２の寸法で形成され、第１板状部材３２としては、例えば、金属板や硬質の合成樹脂板が用いられる。また、第１遮蔽体３６としは上下に折り畳まれたスプリング鋼板が用いられている。
そして、静止時において、固定床１６の内縁部上に配設された第１板状部材３２は、該第１板状部材３２の内縁と固定床１６の内縁が合致するように配設され、また、免震床６の外縁部上に配設された第１板状部材３２は、該第１板状部材３２の外縁と免震床６の外縁が合致するように配設され、この状態で各第１遮蔽体３６はそれぞれ上下に折り畳まれて扁平となるように構成されている。
【００１０】
前記第２板状部材３４は前記両第１板状部材３２上にわたって配設され、幅Ｗ２で延在形成され、前記第２板状部材３４の幅方向両側部と前記両第１板状部材３２との間にはそれぞれ第２遮蔽体３８が介設されている。
前記第２板状部材３４の幅Ｗ２は水平方向動き代ｄ１の２倍の２ｄ１強の寸法で形成され、第２板状部材３４としては、例えば、金属板や硬質の合成樹脂板が用いられる。また、第２遮蔽体３８としは上下に折り畳まれたスプリング鋼板が用いられている。
そして、静止時において、第２板状部材３４の幅方向の一方の外縁と、固定床１６に配設された第１板状部材３２の外縁とが合致し、第２板状部材３４の幅方向の他方の外縁と、免震床６に配設された第１板状部材３２の内縁は合致するように配設され、この状態で二つの第２遮蔽体３８はそれぞれ上下に折り畳まれて扁平となるように構成されている。
【００１１】
本実施例は前記のように構成されているので、地震による免震床６の揺動時に、図３（Ａ）、（Ｂ）に示すように、固定床１６と免震床６が近づき、また、図４（Ａ）、（Ｂ）に示すように固定床１６と免震床６が離れる。
図３に示すように、固定床１６と免震床６が近づいた状態では、固定床１６側において、第２板状部材３４と第１板状部材３２が共に壁２２側に変位する。そして、第１板状部材３２と第２板状部材３４が相対的に水平方向にずれ、第１板状部材３２の外縁が第２板状部材３４の外縁よりも開口部２４側に位置する。
また、免震床６側において、第２板状部材３４と第１板状部材３２が共に免震床６の中央寄りに変位し、第１板状部材３２の外縁が免震床６の外縁よりも免震床６の中央寄りに位置し、第２板状部材３４の内縁が第１板状部材３２の内縁よりも免震床６の中央寄りに位置する。
【００１２】
また、図４に示すように、固定床１６と免震床６が離れた状態では、固定床１６側において第２板状部材３４と第１板状部材３２が共に免震床６側に変位する。
そして、第１板状部材３２と第２板状部材３４が相対的に水平方向にずれ、第１板状部材３２の外縁よりも免震床６寄り箇所に第２板状部材３４の外縁が位置することになる。
また、免震床６側において、第２板状部材３４と第１板状部材３２が免震床６から離れる方向に変位し、第１板状部材３２の内縁よりも第２板状部材３４の内縁が壁２２側に位置する。
【００１３】
更に、図５に示すように、上下方向の揺動時には、固定床１６側あるいは免震床６側の一方において第１遮蔽体３６と第２遮蔽体３８が上下に伸長し、固定床１６側あるいは可動床側の他方において第１遮蔽体３６と第２遮蔽体３８が上下に縮小し、これら第１遮蔽体３６と第２遮蔽体３８を介して、第１板状部材３２及び第２板状部材３４が固定床１６或は免震床６に衝突されることが防止される。
【００１４】
そして、地震が収まったならば第１遮蔽体３６と第２遮蔽体３８の復元作用により第１板状部材３２と第２板状部材３４は図２に示す当初の位置に復帰する。
【００１５】
従って、本実施例によれば、免震床用カバー３０を、２枚の第１板状部材３２と、１枚の第２板状部材３４を含んで構成したので、固定床１６の幅ｄｍｉｎをｄ１＋ｄ２とすることができ、従って、従来に比べてｄ１程度縮小でき、揺動幅が大きい場合（ｄ１＞＞ｄ２）には、ほぼ半減することができる。
そして、免震床用カバー３０は免震床６の４辺にわたって設けられるので、無駄なスペースを大幅に削減することが可能となる。
また、上下の揺れに対しても、第１遮蔽体３６及び第２遮蔽体３８の伸縮、回転、揺動により追従でき、免震床用カバー３０が固定床１６や免震床６に衝突することを防止しあるいは緩和できる。
また、第１板状部材３２が第１遮蔽体３６及び第２遮蔽体３８を介して揺動、回転することで、第１板状部材３２と免震床６、あるいは、第１板状部材３２と固定床１６との衝突を防止し或は緩和する上で有利となる。
また、前記隙間Ｓは、第１板状部材３２、第２板状部材３４、第１遮蔽体３６、第２遮蔽体３８により閉塞されるので、物品の落下を確実に防ぐことが可能となる。
【００１６】
尚、実施例では、第１遮蔽体３６及び第２遮蔽体３８として、上下に折り畳まれたスプリング鋼板を用いた場合について説明したが、第１遮蔽体３６及び第２遮蔽体３８として伸縮可能なゴム膜等を用いることも可能である。
【００１７】
【発明の効果】
以上の説明で明らかなように本発明は、免震支持装置により免震支持された免震床と、建物躯体の固定床との間の隙間を塞ぐ免震床用カバーであって、前記免震床用カバーは、前記免震床が前記隙間に臨む免震床の外縁部上と前記固定床が前記隙間に臨む固定床の内縁部上にそれぞれ沿って配設された細幅で直線状に延在する第１板状部材と、前記両第１板状部材上にわたって配設された細幅で直線状に延在する第２板状部材と、前記免震床の外縁部と第１板状部材の間、及び、前記固定床の内縁部と第１板状部材の間に、これらの間の隙間を塞ぐようにそれぞれ設けられ、免震床と第１板状部材の相対的移動と固定床と第１板状部材の相対的移動を許容し、かつ、第１板状部材を元の位置に復帰させる第１遮蔽体と、前記両第１板状部材と第２板状部材との間に、これらの間の隙間を塞ぐようにそれぞれ設けられ、第１板状部材と第２板状部材の相対的移動を許容し、かつ、第１板状部材と第２板状部材を元の位置に復帰させる第２遮蔽体とを備える構成とした。
そのため、免震床の揺動用スペースを最小限として利用空間を増やし、また、免震床用カバーと固定床あるいは免震床との上下方向における衝突を緩和し防止することが可能となる。
【図面の簡単な説明】
【図１】固定床、免震床、本発明の免震床用カバーとの関係を示す平面図である。
【図２】（Ａ）、（Ｂ）は静止時における免震床用カバーの説明図である。
【図３】（Ａ）、（Ｂ）は固定床に免震床が近づいた状態の免震床用カバーの説明図である。
【図４】（Ａ）、（Ｂ）は固定床と免震床が離れた状態の免震床用カバーの説明図である。
【図５】免震床の上下揺動時の説明図である。
【図６】免震支持装置の説明図である。
【図７】（Ａ）、（Ｂ）、（Ｃ）は従来の免震床用カバーの説明図である。
【符号の説明】
２  建物躯体
６  免震床
１６  固定床
３０  免震床用カバー
３２  第１板状部材
３４  第２板状部材
３６  第１遮蔽体
３８  第２遮蔽体
【図１】
0003792320.tif 000002
【図２】
0003792320.tif 000003
【図３】
0003792320.tif 000004
【図４】
0003792320.tif 000005
【図５】
0003792320.tif 000006
【図６】
0003792320.tif 000007
【図７】
0003792320.tif 000008